(57)【要約】パッケージ商品排出機（１０）の修理が容易で、かつパッケージ商品の充填および交換が簡単なパッケージ商品排出装置（１０）を提供することを目的とする。そのために、パッケージ商品を排出するパッケージ商品排出機（１０）と、このパッケージ商品排出機（１０）を前方から嵌込み可能なフレーム（２０）とを備え、前記パッケージ商品排出機（１０）を前記フレーム（２０）に嵌込み状態で固定する固定手段を備えることとした。
2004003859.tif 000002
【特許請求の範囲】
【請求項１】
パッケージ商品を排出するパッケージ商品排出機と、このパッケージ商品排出機を前方から着脱可能に嵌込み可能なフレームとを備え、前記パッケージ商品排出機を前記フレームに嵌込み状態で固定する固定手段を備えることを特徴とするパッケージ商品排出装置。
【請求項２】
前記フレームは上下に重畳可能に構成されるとともに、前記フレームを重畳状態で固定する固定手段を備えることを特徴とする請求項１記載のパッケージ商品排出装置。
【請求項３】
前記フレームは横方向に並設可能に構成されるとともに、前記フレームを並設状態で固定する固定手段を備えることを特徴とする請求項１または請求項２記載のパッケージ商品排出装置。
【請求項４】
前記パッケージ商品排出機のケース体の上面には商品充填開口が形成されていることを特徴とする請求項１から請求項３いずれか一に記載のパッケージ商品排出装置。
【請求項５】
前記パッケージ商品排出機が抜差し可能な前記フレームの上面には商品充填開口が形成されていることを特徴とする請求項４記載のパッケージ商品排出装置。
【請求項６】
前記フレームの上に直接的に固定可能な商品収納ボックスを備え、前記パッケージ商品収納ケースの底板は水平方向に抜差し可能に構成されていることを特徴とする請求項５記載のパッケージ商品排出装置。
【請求項７】
前記フレームの上に直接的に固定可能な商品ディスプレイを備えることを特徴とする請求項５記載のパッケージ商品排出装置。
【請求項８】
前記フレームに対して前方から着脱可能に嵌込み可能な商品収納ボックスを備えることを特徴とする請求項５記載のパッケージ商品排出装置。
【請求項９】
前記フレームに対して前方から着脱可能に嵌込み可能な商品ディスプレイを備えることを特徴とする請求項５記載のパッケージ商品排出装置。
【請求項１０】
前記フレームの下に直接的に固定可能で着脱可能なベースを備えることを特徴とする請求項１から請求項９いずれか一項に記載のパッケージ商品排出装置。
【請求項１１】
前記フレームに着脱可能に嵌込み可能なクリーンボックスを備えることを特徴とする請求項１から請求項１０いずれか一項に記載のパッケージ商品排出装置。
【請求項１２】
前記ベースにはクリーンボックスが設けられていることを特徴とする請求項１〜請求項１１いずれか一項に記載のパッケージ商品排出装置。
【請求項１３】
前記パッケージ商品排出機の少なくとも前壁が透明材料によって形成され、該前壁の幅方向中央部に前方へ突出する弧状壁部が形成されていることを特徴とする請求項１から請求項１２いずれか一項に記載のパッケージ商品排出装置。
【請求項１４】
前記パッケージ商品排出機の弧状壁部の両端に、凸片を内方に向けて形成するとともに、それらの凸片と前記弧状壁部との会合部間に、抜き差し可能にはめ込む隔壁板を備えたことを特徴とする請求項１３記載のパッケージ商品排出装置。
【請求項１５】
前記隔壁板を前記弧状壁部の内面に倣った形状に形成したことを特徴とする請求項１４記載のパッケージ商品排出装置。
【請求項１６】
前記隔壁板と前記弧状壁部との間に差し込む表示部材を備えたことを特徴とする請求項１５記載のパッケージ商品排出装置。
【請求項１７】
前記隔壁板の高さ方向中間部に棚を設けたことを特徴とする請求項１４または請求項１５記載のパッケージ商品排出装置。
【請求項１８】
前記パッケージ商品排出機の少なくとも前壁および側壁が透明材料によって形成され、その前壁と側壁とが会合する隅部を湾曲面によって形成したことを特徴とする請求項１から請求項１７いずれか一項に記載のパッケージ商品排出装置。
【請求項１９】
前記フレームの裏面に覗き孔が形成されていることを特徴とする請求項１から請求項１８いずれか一項に記載のパッケージ商品排出装置。
【発明の詳細な説明】
【技術分野】  この発明は、パッケージ商品を排出するパッケージ商品排出装置に関するものである。
本明細書で「パッケージ商品」とはカプセル商品のみならず、箱等の容器に封入された商品、紙等で包まれた商品を含む広い概念である。
【背景技術】  従来、例えばカプセル商品を排出するためのカプセル商品排出機として、硬貨を投入した後にハンドルを回すことにより、内部の回転ドラムが回転し、回転ドラム上にあるカプセル商品を、回転ドラムの穴と、回転ドラム下にある開口とを通じて、商品排出口に排出するものが知られている。このカプセル商品排出機は、デパートの玩具売り場または踊り場や、ゲームセンターや、コンビニエンスストアの店内または店先や、遊園地等に設置されるのが普通である。
この場合、カプセル商品排出機は２段または３段に重ね合わされて設置される。そして、この重ね合わせの場合、下側のカプセル商品排出機に直上のカプセル商品排出機に固定される。
しかし、カプセル商品排出機を上下に多段に重ねる場合、カプセル商品排出機の形状にもよるが、安定性が損なわれるという問題がある。一方で、カプセル商品排出機を多段に重ねない場合には、カプセル商品排出機の設置のためのスペース効率が悪いという問題がある。
また、カプセル商品排出機を多段に重ね合わせた場合であっても、最下段および最上段のカプセル商品排出機を除く途中段のカプセル商品排出機を取り外して修理したり、その途中段のカプセル商品排出機を交換したりするような場合に、その作業が繁雑となる。また、カプセル商品排出機に対してのカプセル商品の充填作業や、カプセル商品排出機からのカプセル商品の回収作業が煩雑となる。
【発明の開示】
本発明は、かかる問題点に鑑みなされたもので、パッケージ商品排出機の修理が容易で、かつパッケージ商品の充填および交換が簡単なパッケージ商品排出装置を提供することを目的としている。
請求項１記載のパッケージ商品排出装置は、パッケージ商品を排出するパッケージ商品排出機と、このパッケージ商品排出機を前方から嵌込み可能なフレームとを備え、前記パッケージ商品排出機を前記フレームに嵌込み状態で固定する固定手段を備えることを特徴とする。
このパッケージ商品排出装置によれば、フレームに対してパッケージ商品排出機が着脱できるように構成されているので、他のパッケージ商品排出機とは無関係にパッケージ商品排出機をフレームから取り出すことができる。したがって、所望のパッケージ商品排出機を取り外す場合、他のパッケージ商品排出機とは無関係にフレームに対するパッケージ商品排出機の固定を解除すればよい。また、パッケージ商品排出機を前記フレームに嵌込み状態で固定する固定手段を備えるので、パッケージ商品排出機をフレームに固定することができる。
請求項２記載のパッケージ商品排出装置は、請求項１記載のパッケージ商品排出装置において、前記フレームは上下に重畳可能に構成されるとともに、前記フレームを重畳状態で固定する固定手段を備えることを特徴とする。
このカプセル商品排出装置によれば、フレームは上下に重畳可能に構成されるので、フレームを上下に重畳し、そのフレームにカプセル商品排出機を嵌め込むことで、規模の大きな商品棚を構築できる。
請求項３記載のパッケージ商品排出装置は、請求項１または請求項２記載のパッケージ商品排出装置において、前記フレームは横方向に並設可能に構成されるとともに、前記フレームを並設状態で固定する固定手段を備えることを特徴とする。
このパッケージ商品排出装置によれば、フレームは横方向に並設可能に構成されるので、フレームを横方向に並設し、そのフレームにパッケージ商品排出機を嵌め込むことで、規模の大きな商品棚を構築できる。
請求項４記載のパッケージ商品排出装置は、請求項１から請求項３いずれか一項に記載のパッケージ商品排出装置において、前記パッケージ商品排出機のケース体の上面には商品充填口が形成されていることを特徴とする。
このパッケージ商品排出装置によれば、パッケージ商品排出機をフレームから取り出せば、パッケージ商品排出機のケース体の商品充填口からパッケージ商品を充填できる。
請求項５記載のパッケージ商品排出装置は、請求項４記載のパッケージ商品排出装置において、前記パッケージ商品排出機が抜差し可能な前記フレームの上面には商品充填口が形成されていることを特徴とする。
このパッケージ商品排出装置によれば、フレームの上面には商品充填口が形成されているので、そのフレームからパッケージ商品排出機を取り出すことなく、パッケージ商品排出開口からパッケージ商品を充填できる。
請求項６記載のパッケージ商品排出装置は、請求項５記載のパッケージ商品排出装置において、前記フレームの上に直接的に固定可能な商品収納ボックスを備え、前記商品収納ボックスの底板は水平方向に抜差し可能に構成されていることを特徴とする。
このパッケージ商品排出装置によれば、フレームの上に直接的に固定可能な商品収納ボックスを備え、前記商品収納ボックスの底板は水平方向に抜差し可能に構成されているので、フレームに直接的に商品収納ボックスを固定しておき、底板を抜き出すことにより、パッケージ商品を簡単に充填できる。
請求項７記載のパッケージ商品排出装置は、請求項５記載のパッケージ商品排出装置において、前記フレームの上に直接的に固定可能な商品ディスプレイを備えることを特徴とする。
このパッケージ商品排出装置によれば、フレームの上に直接的に固定可能な商品ディスプレイを備えるので、商品ディスプレイにパッケージ商品を入れて展示することができる。
請求項８記載のパッケージ商品排出装置は、請求項５記載のパッケージ商品排出装置において、前記フレームに対して前方から着脱可能に嵌込み可能な商品収納ボックスを備えることを特徴とする。
このパッケージ商品排出装置によれば、フレームに対して前方から着脱可能に嵌込み可能な商品収納ボックスを備えるので、底板を抜き出すことにより、パッケージ商品を簡単に充填できる。
請求項９記載のパッケージ商品排出装置は、請求項５記載のパッケージ商品排出装置において、前記フレームに対して前方から着脱可能に嵌込み可能な商品ディスプレイを備えることを特徴とする。
このパッケージ商品排出装置によれば、商品ディスプレイにパッケージ商品を入れて展示することができる。
請求項１０記載のパッケージ商品排出装置は、請求項１から請求項９いずれか一項に記載のパッケージ商品排出装置において、前記フレームの下に直接的に固定可能で着脱可能なベースを備えることを特徴とする。この場合、ベースにはキャスタが付設されていることが好ましい。
このパッケージ商品排出装置によれば、フレームの下にベースを固定できるので、フレームひいてはパッケージ商品排出機を適正な高さに保つことができる。
請求項１１記載のパッケージ商品排出装置は、請求項１から請求項１０いずれか一項に記載のパッケージ商品排出装置において、前記フレームに着脱可能に嵌込み可能なクリーンボックスを備えることを特徴とする。また、請求項１２記載のパッケージ商品排出装置は、請求項１〜請求項１０いずれか一項に記載のパッケージ商品排出装置において、前記ベースにはクリーンボックスが設けられていることを特徴とする。
このパッケージ商品排出装置によれば、フレームまたはベースにクリーンボックスを備えるので、別途ゴミ箱等を設置する必要がなくなる。
請求項１３記載のパッケージ商品排出装置は、請求項１から請求項１２いずれか一項に記載のパッケージ商品排出装置において、前記パッケージ商品排出機の少なくとも前壁が透明材料によって形成され、該前壁の幅方向中央部に前方へ突出する弧状壁部が形成されていることを特徴とする。
このパッケージ商品排出装置によれば、パッケージ商品が、弧状壁部まで充填されるため、パッケージ商品が見易くなる。
請求項１４記載のパッケージ商品排出装置は、請求項１３記載のパッケージ商品排出装置において、前記パッケージ商品排出機の弧状壁部の両端に、凸片を内方に向けて形成するとともに、それらの凸片と前記弧状壁部との会合部間に、抜き差し可能にはめ込む隔壁板を備えたことを特徴とする。
このパッケージ商品排出装置によれば、隔壁板と弧状壁部との間に、内部と隔絶された空間が画成されるので、そこに見本等を収容することができる。
請求項１５記載のパッケージ商品排出装置は、請求項１４記載のパッケージ商品排出装置において、前記隔壁板を前記弧状壁部の内面に倣った形状に形成したことを特徴とする。
このパッケージ商品排出装置によれば、内部と隔絶した空間を必要としない場合には、隔壁板を弧状壁部に添わせて収納させることができる。
請求項１６記載のパッケージ商品排出装置は、請求項１５記載のパッケージ商品排出装置において、前記隔壁板と前記弧状壁部との間に差し込む表示部材を備えたことを特徴とする。この場合の表示部材としては紙又はプラスチックシート等が考えられる。
このパッケージ商品排出装置によれば、隔壁板を弧状壁部に添わせて収納させる場合に、それらの間に表示部材、例えば、広告を表示したり、使用説明を表示したりできる。また、隔壁板の向きを反対向きにして、表示部材を取り付けた場合には、それらの間に画成される空間にパッケージ商品を収納するとともに、隔壁板の裏側面（突出側面）に表示部材を添わせ、隔壁板の側縁と凸片との間で表示部材を挟持させることによって、商品見本と表示とを併せて見せることができる。なお、保持力は弱まるが隔壁板の表側面に沿わせて表示部材を設けてもよい。
請求項１７記載のパッケージ商品排出装置は、請求項１４または請求項１５記載のパッケージ商品排出装置において、前記隔壁板の高さ方向中間部に棚を設けたことを特徴とする。
このパッケージ商品排出装置によれば、棚上に見本等を載せた状態で見本等の展示が行える。
請求項１８記載のパッケージ商品排出装置は、請求項１から請求項１７いずれか一項に記載のパッケージ商品排出装置において、前記パッケージ商品排出機の少なくとも前壁および側壁が透明材料によって形成され、その前壁と側壁とが会合する隅部を湾曲面によって形成したことを特徴とする。
このパッケージ商品排出装置によれば、パッケージ商品排出機がフレームに収容された状態にあっても、内部のパッケージ商品を覗くことが容易になる。
請求項１９記載のパッケージ商品排出装置は、請求項１から請求項１８いずれか一項に記載のパッケージ商品排出装置において、前記フレームの裏面に覗き孔が形成されていることを特徴とする。
このパッケージ商品排出装置によれば、フレームの裏面側からでも、パッケージ商品排出機内のパッケージ商品の残存量等を確認できる。
【図面の簡単な説明】  本発明は、以下に示される詳細な説明と添付図面とによってより完全に理解されるであろう。ただし、これらは本発明を限定しようとするものではない。
ここで、
図１は、第１の実施形態に係るカプセル商品排出装置の斜視図、
図２は、図１のカプセル商品排出装置におけるカプセル商品排出機の斜視図、
図３は、図１のカプセル商品排出装置におけるカプセル商品排出機およびフレームの斜視図、
図４は、図１のカプセル商品排出装置におけるフレームの斜視図、
図５は、図１のカプセル商品排出装置におけるフレーム同士の連結構造を示す図、
図６は、図１のカプセル商品排出装置におけるベースの斜視図であって、図６（Ａ）、図６（Ｂ）および図６（Ｃ）は互いに異なる態様のベースを示す斜視図、
図７は、図１のカプセル商品排出装置における商品収納ボックスの正面図であって、図７（Ａ）および図７（Ｂ）は互いに異なる態様の商品収納ボックスを示す正面図、
図８は、図１のカプセル商品排出装置における商品ディスプレイの正面図であって、図８（Ａ）および図８（Ｂ）は互いに異なる態様の商品収納ボックスを示す正面図、
図９は、図１のカプセル商品排出装置の変形例を説明するための斜視図、
図１０は、図１のカプセル商品排出装置の変形例の一つを示す平面図、
図１１は、図１のカプセル商品排出装置の他の変形例を示す平面図、
図１２は、第２の実施形態に係るカプセル商品排出装置の斜視図、
図１３は、図１２のカプセル商品排出装置におけるカプセル商品排出機の斜視図、
図１４は、図１２のカプセル商品排出機におけるディスプレイ部の一態様を示す斜視図であって、図１４（Ａ）は隔壁板を入れない状態の斜視図、図１４（Ｂ）は隔壁板を入れた状態の斜視図、
図１５は、図１４のカプセル商品排出機における要部拡大斜視図、
図１６は、図１２のカプセル商品排出機におけるディスプレイ部の他の態様を示す斜視図であって、図１６（Ａ）は隔壁板を入れない状態の斜視図、図１６（Ｂ）は隔壁板を入れた状態の斜視図、
図１７は、図１６のカプセル商品排出機における要部拡大斜視図、
図１８は、図１２のカプセル商品排出装置におけるカプセル商品排出機およびフレームの斜視図、
図１９は、図１２のカプセル商品排出装置におけるフレームの斜視図、
図２０は、図１２のカプセル商品排出装置におけるフレーム同士の連結構造を示す図、
図２１は、図１２のカプセル商品排出装置におけるベースの斜視図であって、図２１（Ａ）、図２１（Ｂ）および図２１（Ｃ）は互いに異なる態様のベースを示す斜視図である。
【発明を実施するための最良の形態】第１の実施形態
１．カプセル商品排出装置の全体的構成
パッケージ商品排出装置の１つである、実施形態のカプセル商品排出装置１００は、図１に示すように、カプセル商品排出機１０、フレーム２０、ベース３０、商品収納ボックス４０、商品ディスプレイ５０およびカバー６０を備える。
２．カプセル商品排出機１０の構成
カプセル商品排出機１０は図２に示すように箱型に構成されている。ただし、箱形に限定されるものではない。このカプセル商品排出機１０は前面にある硬貨投入口１０ａに硬貨を投入し、ハンドル１０ｂを回すことにより、ケース体１０ｅに収納されていたカプセル商品７０が商品排出口１０ｃから排出されるようになっている。ここでは、硬貨を投入するようになっているが、デポジットカードを差し込んだり、キャッシュカードやクレジットカードを差し込んだりするような構成としてもよい。
カプセル商品排出機１０の上部構造を構成するケース体１０ｅには多数のカプセル商品７０が充填可能となっている。カプセル商品７０のカプセルを開けると、そこからはフィギアその他の玩具が出てくる。
ケース体１０ｅへのカプセル商品７０の充填は、ケース体１０ｅの上面に設けられた商品充填口１０ｆから行われる。一方。カプセル商品７０の回収は、ケース体１０ｅの側面に設けられた扉１０ｇを開けて行われる。
また、図３に示すように、ケース体１０ｅの前面にはキーシリンダ１０ｈが付設され、このキーシリンダ１０ｈに図示しないキーを差し込んで回すことにより、突片１０ｉが出没するようになっている。突片１０ｉが突出状態となったとき、フレーム２０の図示しない穴に係合してカプセル商品排出機１０がフレーム２０に固定される。
一方、カプセル商品排出機１０の下部構造を構成するメカ部には、図示はしないが、硬貨選別装置や、ハンドル１０ｂの回転に伴って回転する回転ドラム等が設けられている。
また、図２に示すように、メカ部の側部には金庫１０ｊが設けられ、前面には硬貨返却口１０ｋが設けられている。
３．フレーム２０の構成
フレーム２０は特に限定されないが箱型に構成され、前記カプセル商品排出機１０を前方から嵌込み可能となっている。このフレーム２０はカプセル商品排出機１０の前面を除く部分を被覆可能に構成されている。フレーム２０の上面および底面には、図４に示すように、前記カプセル排出機１０の商品充填口１０ｆに対応して商品充填口２０ａが形成されている。
このフレーム２０は、上下に重畳可能に構成されるともに、横方向に並設可能となっている。隣接するフレーム同士の固定は、特に限定されないが、連結板２１が使用され、この連結板２１を裏面側でフレーム２０同士の間に掛け渡し、ねじ止めすることによってなされる。
４．ベース３０の構成
フレーム２０が設置されるベース３０としては、特に限定されないが、キャスタ付の３種のベースが用意されている。１つはクリーンボックス付ベース３０ａ（図６（Ａ））であり、２つ目はスタンダードベース３０ｂ（図６（Ｂ））であり、３つ目はスリムベース３０ｃ（図６（Ｃ））である。このうちクリーンボックス付ベース３０ａは不要のカプセルを投入するためのものであり、カプセル投入口３１を有している。そして、投入したカプセルは図示しない扉から取出し可能となっている。
なお、ベース３０とフレーム２０との連結構造は特に限定されないがフレーム２０同士の連結構造と同じとなっている。
５．商品収納ボックス４０の構成
商品収納ボックス４０としては、特に限定されないが、図７（Ａ）、（Ｂ）に示すように、２種の商品収納ケースが用意されている。１つは深底の商品収納ボックス４０ａであり、２つ目は浅底の商品収納ボックス４０ｂである。この商品収納ボックス４０はフレーム２０に対して前方から嵌込み可能となっている。この場合、深底の商品収納ボックス４０ａはフレーム２０に対して１つだけ、浅底の商品収納ボックス４０ｂはフレーム２０に対して上下に２つ同時に嵌込み可能となっている。
また、商品収納ボックス４０の底板４１は前方から抜差し可能となっている。したがって、商品収納ボックス４０にカプセル商品を収納した状態でその商品収納ボックス４０をフレーム２０に嵌め込み、底板４１を抜き出すことにより、カプセル商品６０が商品充填口１０ｆ、２０ａを介してカプセル商品排出機１０に充填される。
さらに、商品収納ボックス４０の前面にはキーシリンダ４２が付設され、このキーシリンダ４２に図示しないキーを差し込んで回すことにより、図示しない突片が出没するようになっている。そして、突片が突出状態となったとき、フレーム２０の図示しない穴に係合して商品収納ボックス４０がフレーム２０等に固定される。なお、この商品収納ボックス４０のキーシリンダ４２は前記突片によって底板４１も同時に固定できるように、商品収納ボックス４０の下側に設けられることが好ましい。
６．商品ディスプレイ５０の構成
商品ディスプレイ５０としては、特に限定されないが、図８（Ａ）、（Ｂ）に示すように、２種の商品ディスプレイが用意されている。１つは浅底の商品ディスプレイ５０ａであり、２つ目は深底の商品ディスプレイ５０ｂである。この商品ディスプレイ５０はフレーム２０に対して前方から嵌込み可能となっている。
また、商品ディスプレイ５０の前面にはキーシリンダ５１が付設され、このキーシリンダ５１に図示しないキーを差し込んで回すことにより、図示しない突片が出没するようになっている。そして、突片が突出状態となったとき、フレーム２０の図示しない穴に係合して商品ディスプレイ５０がフレーム２０等に固定される。
７．カバー６０の構成
カバー６０は最上段のフレーム２０の商品充填口２０ａを塞ぐためのものであり、ねじ等によってフレーム２０に取り付けられる。
８．組み合わせ
以上のカプセル商品排出機１０、フレーム２０、ベース３０、商品収納ボックス４０、商品ディスプレイ５０およびカバー６０を任意に組み合わせることにより、自由にカプセル商品排出装置１００を構築できる。
９．変形例
以上、本発明の実施形態について説明したが、本発明は、かかる実施形態に限定されるものではなく、その発明の要旨を変更しない範囲で種々の変形が可能であることはいうまでもない。
例えば、図９に示すコーナ用のディスプレイ８０と組み合わせて、図１０に示すように、柱８１の周りにカプセル商品排出機１０を並べて商品排出機装置１００を構成してもよいし、図１１に示すように、商品排出装置１００を構成し、全体を回転テーブル（図示せず）上に載せて全体が回転できるようにしてもよい。
また、前記実施形態では、クリーンボックスをベースに設けたが、フレームにクリーンボックスを設けてもよい。
第２の実施形態
１．カプセル商品排出装置の全体的構成
パッケージ商品排出装置の１つである、実施形態のカプセル商品排出装置２００は、図１２に示すように、カプセル商品排出機１１０、フレーム１２０、ベース１３０、商品収納ボックス１４０、商品ディスプレイ１５０およびカバー１６０を備える。
２．カプセル商品排出機１１０の構成
カプセル商品排出機１１０は図１３に示すように箱型に構成されている。ただし、箱形に限定されるものではない。このカプセル商品排出機１１０は前面にある硬貨投入口１１０ａに硬貨を投入し、ハンドル１１０ｂを回すことにより、ケース体１１０ｅに収納されていたカプセル商品１７０が商品排出口１１０ｃから排出されるようになっている。ここでは、硬貨を投入するようになっているが、デポジットカードを差し込んだり、キャッシュカードやクレジットカードを差し込んだりするような構成としてもよい。
カプセル商品排出機１１０の上部構造を構成するケース体１１０ｅには多数のカプセル商品１７０が充填可能となっている。カプセル商品１７０のカプセルを開けると、そこからはフィギアその他の玩具が出てくる。
ケース体１１０ｅへのカプセル商品１７０の充填は、ケース体１１０ｅの上面に設けられた商品充填口１１０ｆから行われる。一方。カプセル商品１７０の回収は、ケース体１１０ｅの側面に設けられた扉１１０ｇを開けて行われる。
ケース体１１０ｅは、透明な材料によって形成されており、前壁と側壁とが会合する隅部は湾曲面１１０１によって形成され、前壁中央部には、ディスプレイ部１１１が構成されている。
ディスプレイ部１１１は、図１４乃至図１８に示すように、ケース体１１０ｅの前壁から前方に膨出した弧状壁部１１１ａと、隔壁板１１１ｂとによって構成されている。隔壁板１１１ｂは、弧状壁部１１１ａよりも僅かに小さな曲率半径の弧状に形成されている。弧状壁部１１１ａの両端部には、該弧状壁部と同一な曲率半径をもった凸片１１１ｃが内方に向けて配設されている。一方、隔壁板１１１ｂには、その高さ方向ほぼ中間に棚１１１ｄが配設されている。この棚は、略楕円形を成し、隔壁板１１１ｂから突出する部分の外郭は、隔壁板１１１ｂの曲率半径とほぼ同じ弧状を形成している。
このように構成されたディスプレイ部１１１では、図１４（Ａ）に示すように、隔壁１１１ｂを、ケース体１１０ｅの内方に突出するようにして、凸片１１１ｃ，１１１ｃ間に上方から嵌め込む。そして、図１４（Ｂ）に示すように、隔壁板１１１ｂと棚１１１ｄとケース体１１０ｅの弧状壁部１１１ａとによって画成される空間１１１ｅに見本となるカプセル商品１７０が収容される。
また、このディスプレイ部１１１では、ケース体１１０ｅの弧状壁部１１１ａまたは凸片１１１ｃと、隔壁板１１１ｂとの間隙を利用して、表示部材１１１ｆが取り付けられるようになっている。その取り付け態様の１つは、図１４（Ａ）に示すように、表示部材１１１ｆを隔壁板１１１ｂの凸側面に添わせ、表示部材１１１ｆが隔壁板１１１ｂの内方に位置するようにして、隔壁板１１１ｂと共に、凸片１１１ｃ，１１１ｃ間に上方から嵌め込む。この場合には、表示部材１１１ｆは、図１５に示すように、表示部材１１１ｆの両側縁が凸片１１１ｃと隔壁板１１１ｂの両側縁とによって挟持される。表示部材１１１ｆの他の取り付け態様は、図１６（Ａ）に示すように、表示部材１１１ｆを隔壁板１１１ｂの凸側面に添わせ、表示部材１１１ｆが隔壁板１１１ｂの外方に位置するようにして、隔壁板１１１ｂと共に、弧状壁部１１１ａの内面に沿って凸片１１１ｃ，１１１ｃ間に、上方から嵌め込む。この場合には、表示部材１１１ｆは、図１７に示すように、表示部材１１１ｆの略全体が弧状壁部１１１ａと隔壁板１１１ｂとによって挟持される。
また、図１８に示すように、ケース体１１０ｅの前面にはキーシリンダ１１０ｈが付設され、このキーシリンダ１１０ｈに図示しないキーを差し込んで回すことにより、突片１１０ｉが出没するようになっている。突片１１０ｉが突出状態となったとき、フレーム１２０の図示しない穴に係合してカプセル商品排出機１１０がフレーム１２０に固定される。
一方、カプセル商品排出機１１０の下部構造を構成するメカ部には、図示はしないが、硬貨選別装置や、ハンドル１１０ｂの回転に伴って回転する回転ドラム等が設けられている。
また、図１３に示すように、メカ部の側部には金庫１１０ｊが設けられ、前面には硬貨返却口１１０ｋが設けられている。
３．フレーム１２０の構成
フレーム１２０は特に限定されないが箱型に構成され、前記カプセル商品排出機１１０を前方から嵌込み可能となっている。このフレーム１２０はカプセル商品排出機１１０の前面および隅部１１０１を除く部分を被覆可能に構成されている。フレーム１２０の上面および底面には、図１９に示すように、前記カプセル排出機１１０の商品充填口１１０ｆに対応して商品充填口１２０ａが形成されている。フレーム１２０の裏面には、のぞき窓１２０ｂが形成されている。
このフレーム１２０は、上下に重畳可能に構成されるともに、横方向に並設可能となっている。隣接するフレーム同士の固定は、特に限定されないが、連結板１２１が使用され、この連結板１２１を裏面側でフレーム１２０同士の間に掛け渡し、ねじ止めすることによってなされる。
４．ベース１３０の構成
フレーム１２０が設置されるベース１３０としては、特に限定されないが、キャスタ付の３種のベースが用意されている。１つはクリーンボックス付ベース１３０ａ（図２１（Ａ））であり、２つ目はスタンダードベース１３０ｂ（図２１（Ｂ））であり、３つ目はスリムベース１３０ｃ（図２１（Ｃ））である。このうちクリーンボックス付ベース１３０ａは不要のカプセルを投入するためのものであり、カプセル投入口１３１を有している。そして、投入したカプセルは図示しない扉から取出し可能となっている。
なお、ベース１３０とフレーム１２０との連結構造は特に限定されないがフレーム１２０同士の連結構造と同じとなっている。
５．商品収納ボックス１４０の構成
商品収納ボックス１４０はフレーム１２０に対して前方から嵌込み可能となっている。この商品収納ボックス１４０の底板１４１は前方から抜差し可能となっている。したがって、商品収納ボックス１４０にカプセル商品を収納した状態でその商品収納ボックス１４０をフレーム１２０に嵌め込み、底板１４１を抜き出すことにより、カプセル商品１６０が商品充填口１１０ｆ、１２０ａを介してカプセル商品排出機１１０に充填される。
さらに、商品収納ボックス１４０の前面にはキーシリンダ１４２が付設され、このキーシリンダ１４２に図示しないキーを差し込んで回すことにより、図示しない突片が出没するようになっている。そして、突片が突出状態となったとき、フレーム１２０の図示しない穴に係合して商品収納ボックス１４０がフレーム１２０等に固定される。なお、この商品収納ボックス１４０のキーシリンダ１４２は前記突片によって底板１４１も同時に固定できるように、商品収納ボックス１４０の下側に設けられることが好ましい。
６．商品ディスプレイ１５０および小ディスプレイ１５５の構成
商品ディスプレイ１５０は、フレーム２０に対して前方から嵌込み可能となっている。商品ディスプレイ１５０の前面には、図１２に示すように、キーシリンダ１５１が付設され、このキーシリンダ１５１に図示しないキーを差し込んで回すことにより、図示しない突片が出没するようになっている。そして、突片が突出状態となったとき、フレーム１２０の図示しない穴に係合して商品ディスプレイ１５０がフレーム１２０等に固定される。
小ディスプレイ１５５はフレーム１２０上や後述のカバー１６０上に取付け可能となっている。この小ディスプレイ１５５はキーシリンダ１５６に図示しないキーを差し込んで回すことにより、図示しない突片が出没するようになっている。そして、突片が突出状態となったとき、フレーム１２０やカバー１６０の図示しない穴に係合して小ディスプレイ１５０がフレーム１２０やカバー１６０等に固定される。
７．カバー１６０の構成
カバー１６０は最上段のフレーム１２０の商品充填口１２０ａを塞ぐためのものであり、ねじ等によってフレーム１２０に取り付けられる。
８．クリーンボックス１８０の構成
クリーンボックス１８０は、不要のカプセルを投入するためのものであり、カプセル投入口１８１を有している。そして、投入したカプセルはクリーンボックス１８０を引き出すことにより回収可能となっている。このクリーンボックス１８０はカプセル商品排出機１１０や商品ディスプレイ１５０と交換可能となっている。なお、このクリーンボックス１８０はキーシリンダ１８２に図示しないキーを差し込んで回すことにより、図示しない突片が出没するようになっている。そして、突片が突出状態となったとき、フレーム１２０の図示しない穴に係合してクリーンボックス１８０がフレーム１２０等に固定される。
９．組み合わせ
以上のカプセル商品排出機１１０、フレーム１２０、ベース１３０、商品収納ボックス１４０、商品ディスプレイ１５０、小ディスプレイ１５５、カバー１６０およびクリーンボックス１８０を任意に組み合わせることにより、自由にカプセル商品排出装置２００を構築できる。
【産業上の利用可能性】  以上のように、本発明にかかるパッケージ商品排出装置は、スペースの小さい場所に規模の大きな販売場所を提供するのに有用であり、特に高さ方向に多段のパッケージ商品排出機を並べる場合に適している。
【図１】
2004003859.tif 000003
【図２】
2004003859.tif 000004
【図３】
2004003859.tif 000005
【図４】
2004003859.tif 000006
【図５】
2004003859.tif 000007
【図６】
2004003859.tif 000008
【図７】
2004003859.tif 000009
【図８】
2004003859.tif 000010
【図９】
2004003859.tif 000011
【図１０】
2004003859.tif 000012
【図１１】
2004003859.tif 000013
【図１２】
2004003859.tif 000014
【図１３】
2004003859.tif 000015
【図１４】
2004003859.tif 000016
【図１５】
2004003859.tif 000017
【図１６】
2004003859.tif 000018
【図１７】
2004003859.tif 000019
【図１８】
2004003859.tif 000020
【図１９】
2004003859.tif 000021
【図２０】
2004003859.tif 000022
【図２１】
2004003859.tif 000023
【国際調査報告】
2004003859.tif 000024
2004003859.tif 000025
2004003859.tif 000026
2004003859.tif 000027